(57)【特許請求の範囲】
【請求項１】
ショーケースの前面に取り付けられ、かつ上端部が前上方に傾斜するとともに前後方向に弾性変形可能とした上部受け材と、ショーケースの前面における前記上部受け材の下方に取り付けられ、かつ下端部がショーケースの前面から離れて下方を向く下部受け材と、上端部に、上端から鋭角に２回折り曲げられて、真下を向き、かつショーケースの前面に押しつけられる第１折り返し部、及びその下端から前上方に延出し、前記上部受け材の上端部の後面に係合する第２折り返し部からなる上部折り返し片が形成され、かつ下端部に、前記下部受け材の下端部の後面に係合する下部折り返し片を有する保護材とを備えることを特徴とするショーケースの保護材取付構造。
【請求項２】
上部受け材を、垂直面に対する前向き傾斜角が漸次大となるように、少なくとも前方に２回折り曲げて形成し、上端部が保護材の第２折り返し部と同一傾斜角度となるようにした請求項１記載のショーケースの保護材取付構造。
【請求項３】
下部受け材の下端部が、後方に傾斜したものである請求項１または２記載のショーケースの保護材取付構造。
【請求項４】
上部受け材の下端と下部受け材の上端とを連結して、両受け材を一体として形成した請求項１〜３のいずれかに記載のショーケースの保護材取付構造。
【発明の詳細な説明】
【０００１】
【発明の属する技術分野】
本発明は、商店、スーパーマーケット、百貨店等で使用されるショーケース、特にショーケースの前面下部に取り付けられるバンパー、キックプレート等の保護材の取付構造に関する。
【０００２】
【従来の技術】
従来、この種のショーケースにおいては、カートの衝突保護のためのバンパーは、その上端あるいは下端またはその両方を、正面からショーケース本体にねじ止めして固定するのが一般的であった。
【０００３】
【発明が解決しようとする課題】
しかし、ショーケースのデザインの向上と商品の陳列方法の進歩につれ、ショーケースの正面からバンパー取付用のねじの頭部が見えると、ショーケースの前を歩く客の目に付き、店舗全体のイメージを損ねることとなる。そのため、ねじの頭部が見えないバンパーの取付構造が望まれる。
【０００４】
本発明は、上述の問題点に鑑み、ショーケースにおいて、取付用のねじの頭部が見えず、しかも取付簡単なショーケースの保護材取付構造を提供することを目的としている。
【０００５】
【課題を解決するための手段】
本発明によると、上記課題は、次のようにして解決される。
（１）ショーケースの前面に取り付けられ、かつ上端部が前上方に傾斜するとともに前後方向に弾性変形可能とした上部受け材と、ショーケースの前面における前記上部受け材の下方に取り付けられ、かつ下端部がショーケースの前面から離れて下方を向く下部受け材と、上端部に、上端から鋭角に２回折り曲げられて、真下を向き、かつショーケースの前面に押しつけられる第１折り返し部、及びその下端から前上方に延出し、前記上部受け材の上端部の後面に係合する第２折り返し部からなる上部折り返し片が形成され、かつ下端部に、前記下部受け材の下端部の後面に係合する下部折り返し片を有する保護材とを備えるものとする。
【０００６】
（２）上記(１)項において、上部受け材を、垂直面に対する前向き傾斜角が漸次大となるように、少なくとも前方に２回折り曲げて形成し、上端部が保護材の第２折り返し部と同一傾斜角度となるようにする。
【０００７】
（３）上記(１)または(２)項において、下部受け材の下端部が、後方に傾斜したものである。
【０００８】
（４）上記(１)〜(３)項のいずれかにおいて、上部受け材の下端と下部受け材の上端とを連結して、両受け材を一体として形成する。
【０００９】
【発明の実施の形態】
図１は、本発明を実施したショーケース(Ａ)の側面図である。ショーケース(Ａ)は、正面（図の左側）が開口し、内部が商品陳列空間となっており、ここに、複数段の陳列棚(１)が設けられている。
【００１０】
ショーケース(Ａ)の台部(２)の下部には、保護材の１つであるバンパー(３)が設けられている。
本発明は、このバンパー(３)の取付構造にあり、図２には、その第１の実施例が、拡大して示されている。
【００１１】
バンパー(３)は、鋼板を曲げ加工して形成したもので、図２及び図３に示すように、中間部を、緩やかなＣ字状の断面に曲げ、その上端から鋭角に２回折り曲げて、真下を向く第１折り返し部(4a)及びその下端から前上方に延出する第２折り返し部(4b)からなる上部折り返し片(４)を形成し、かつ下端から、鋭角に１回折り曲げて、前上方を向く下部折り返し片(５)を形成している。
【００１２】
台部(２)の前面板(６)の下端には、断面がほぼ直角三角形状で、斜辺を外面とし、下端を水平に切り欠いた形状の木質部材(７)が取り付けられている。
【００１３】
上部受け材(８)は、その下部が前面(６)の下端部に取り付けられ、この下部から上方かつ前方に折れ曲がって延び、かつその上端部(8a)は、鈍角に前方に折れ曲がって、図２に示すように、取り付けられたバンパー(３)の上部折り返し片(４)の第２折り返し部(4b)と同一傾斜角を有するものとされている。
【００１４】
下部受け材(９)は、その上部を木質部材(７)の斜辺の下部に取り付けられ、この下部の下端から後方に折れ曲がって水平に延びる中間部分から、下方かつ後方に鈍角に折れ曲がって下端部(9a)を形成している。下端部(9a)は、図２に示すように、取り付けられたバンパー(３)の下部折り返し片(５)と同一傾斜角を有するものとされている。
【００１５】
上部受け材(８)及び下部受け材(９)は、一般に鋼板、合成樹脂板等の弾性を有するものであればよいが、ステンレスのばね鋼製とするのが好ましい。
【００１６】
バンパー(３)を取り付けるには、まず、その上縁の上部折り返し片(４)を、上部受け材(８)に引っかける。すなわち、上部折り返し片(４)の第２折り返し部(4b)を、上部受け材(８)の上端部(8a)に載せ、バンパー(３)を下方に引くと、上部受け材(８)が弾性変形して、バンパー(３)は全体的に下方に下がる。
このとき、第１折り返し部(4a)は、前面板(６)に押しつけられる。
【００１７】
この状態で、バンパー(３)を、上部折り返し片(４)が上部受け材(８)に当接している箇所を中心として後方に回動させると、バンパー(３)の下部折り返し片(５)の先端は、下部受け材(９)の下端部(9a)をかわして、その後方に入り込む。ここで、バンバー(３)を下方に引いていた力を抜くと、バンバー(３)は、上部受け材(８)の弾性復帰力により上方に復帰し、これにより、バンパー(３)の下部折り返し片(５)は、下部受け材(９)の下端部(9a)の裏面に当接して係止される。
【００１８】
図４に示す第２の実施例では、下部受け材(９)の下端部(9a)を、断面Ｗ字状に形成し、このＷの真ん中の凹部に、バンパー(３)の下部折り返し片(５)の上端を嵌合して、係止させることにより、バンパー(３)の下端部の前後方向の移動を確実に阻止しうるようにしている。
【００１９】
また、上部受け材(８)の下端と下部受け材(９)の上端とを連結することにより、両受け材(８)(９)を一体として形成し、部品点数の削減、並びに製造及び組立て工数の低減を図っている。
【００２０】
図５に示す第３の実施例では、前面板(６)の下端部に浅い凹入段部(6a)を形成し、そこにバンパー(３)の上部折り返し片(４)の第１折り返し部(4a)を、その上端の鋭角の折り曲げ部が凹入段部(6a)の上端に係合するようにして当接させることにより、第１折り返し部(4a)の上方への移動が阻止されるとともに、バンパー(３)の上縁が隠されて体裁がよくなり、またバンパー(３)にかかる前方からの衝撃に対して強くなるようにしている。
【００２１】
また、バンパー(３)の下端には、前上方向く第１折り返し部(5a)と、その上端から前下方を向く第２折り返し部(5b)を順次連設するとともに、下部受け材(10)の中間部より、ほぼ真下を向く垂下片(10a)と、その下端より後下方を向く第１折曲片(10b)と、その後端より後上方を向く第２折曲片(10c)とを順次連設し、垂下片(10a)と第１折曲片(10b)との間の角部にバンパー(３)の内面が当接するとともに、第２折曲片(10c)の後面に下部折り返し片(５)の第２折り返し部(5b)が当接することにより、バンパー(３)の下端部を、前方からの衝撃に対して強くなるように、確実に支持することができ、しかも第１折り返し部(5a)が案内面となって装着しやすいようにしている。
【００２２】
台部(２)の側面におけるバンパー(３)の取付構造も、上述した前面の取付構造と同一とすることができる。
【００２３】
【発明の効果】
請求項１記載の本発明によれば、バンパーのような保護材の取り付けに、止めねじ等を一切使うことがないので、外観が優れており、また、取り付けを極めて簡単にできる。
【００２４】
請求項２記載の発明によれば、前方への１回目の折り曲げ部分において、初期の弾性変形が容易に起きるため、保護材の取り付けは容易である。また、前方への２回目の折り曲げ部分は、力の掛かり具合から弾性変形しにくく、上部折り返し片が上部受け材から外れるのを有効に防止することができる。
【００２５】
請求項３記載の発明によれば、下部折り返し片に常に前方への反発力が働くため、保護材がはずれにくくなり、また、がたつきが防止される。
【００２６】
請求項４記載の発明によると、部品点数は低減し、容易に製造することができる。
【図面の簡単な説明】
【図１】  本発明の第１の実施例を備えたショーケースの側面図である。
【図２】  図１のII部における、バンパー付近の拡大縦断側面図である。
【図３】  バンパーの拡大斜視図である。
【図４】  本発明の第２の実施例を示す、図２と同様の縦断側面図である。
【図５】  本発明の第３の実施例を示す、図２と同様の縦断側面図である。
【図１】
0004173594.tif 000002
【図２】
0004173594.tif 000003
【図３】
0004173594.tif 000004
【図４】
0004173594.tif 000005
【図５】
0004173594.tif 000006